(57)【要約】【課題】室内における人の有無を確実に把握することができる人有無判定システムを提供する。【解決手段】人有無判定システム１００は、室内（Ｒ）に設置されて室内（Ｒ）の状況の変化を検出するセンサー（１１０）と、センサー（１１０）によるセンシング状況の変化により人（Ｐ）の有無を判定する判定手段（１３０）とを有していることにより、室内（Ｒ）に人（Ｐ）がいる場合にセンシング状況が変化するため、その室内（Ｒ）における人（Ｐ）の有無を確実に把握することができる。【選択図】図１
2019074977.tif 000002
【特許請求の範囲】
【請求項１】
室内に設置されて室内の状況の変化を検出するセンサーと、
前記センサーによるセンシング状況の変化により人の有無を判定する判定手段とを有していることを特徴とする人有無判定システム。
【請求項２】
前記室内は、会議室内であり、前記センサーが、焦電センサー、照度センサー、ジャイロセンサー、加速度センサー、圧力センサーのいずれかであり、
会議室のスケジュール管理手段と、時刻判定手段とをさらに有し、
前記会議室の使用開始予定時刻から第１所定時間経過するまでの間にセンサーによるセンシング状況の変化、または、会議室に設置されたボタンセンサーによるセンシング状況の変化が無い場合、前記スケジュール管理手段が、前記使用開始予定時刻を過ぎた会議室の予約を取り消す構成であることを特徴とする請求項１に記載の人有無判定システム。
【請求項３】
音声を発するスピーカをさらに有し、
前記会議室の使用開始予定時刻から第１所定時間経過するまでの間にセンサーによるセンシング状況の変化、または、会議室に設置されたボタンセンサーによるセンシング状況の変化が無い場合、前記スピーカが、前記使用開始予定時刻を過ぎた会議室の予約を取り消す旨を音声で発し、前記センサーによるセンシング状況の変化、または、会議室に設置されたボタンセンサーによるセンシング状況の変化が無いとき、前記スケジュール管理手段が、前記使用開始予定時刻を過ぎた会議室の予約を取り消す構成であることを特徴とする請求項２に記載の人有無判定システム。
【請求項４】
前記室内は、会議室内であり、前記センサーが、焦電センサー、照度センサー、ジャイロセンサー、加速度センサー、圧力センサーのいずれかであり、会議室のスケジュール管理手段と、時刻判定手段とをさらに有し、
前記会議室の使用開始予定時刻経過後にセンシング状況の変化により会議室を使用中と判定してから使用終了予定時刻までの間にセンサーによるセンシング状況の変化、または、会議室に設置されたボタンセンサーによるセンシング状況の変化がある場合、前記スケジュール管理手段が、現在時刻から使用終了予定時刻までの会議室の予約を空きにして会議室の使用について予約自在にする構成であることを特徴とする請求項１乃至請求項３のいずれか１つに記載の人有無判定システム。
【請求項５】
前記室内は、会議室内であり、
会議室のスケジュール管理手段と、時刻判定手段と、音声を発するスピーカとをさらに有し、
前記時刻判定手段が、前記会議室の使用終了予定時刻の第２所定時間前になったと判定したとき、前記会議室内に設けられたスピーカが、前記会議室の使用終了予定時刻の第２所定時間前である旨を音声で発する構成であることを特徴とする請求項１乃至請求項４のいずれか１つに記載の人有無判定システム。
【請求項６】
前記会議室の使用状況を表示する表示手段を有し、
前記表示手段が、前記判定手段による判定に基づいて使用中または空きの旨を表示する構成であることを特徴とする請求項１乃至請求項５のいずれか１つに記載の人有無判定システム。
【請求項７】
前記室内は、トイレの個室内であり、前記センサーが、焦電センサー、照度センサー、圧力センサーのいずれかであり、
前記トイレの個室の使用状況を表示する表示手段を有し、
前記表示手段が、前記判定手段による判定に基づいて使用中または空きの旨を表示する構成であることを特徴とする請求項１に記載の人有無判定システム。
【請求項８】
前記室内は、会社のオフィス内であり、前記センサーが、焦電センサー、照度センサー、ジャイロセンサー、加速度センサー、圧力センサーのいずれかであり、オフィス内に設置され、
前記オフィス内の在席状況を表示する表示手段を有し、
前記表示手段が、前記判定手段による判定に基づいて在席中または席外し中の旨を表示する構成であることを特徴とする請求項１に記載の人有無判定システム。
【発明の詳細な説明】
【技術分野】
【０００１】
本発明は、室内における人の有無を判定する人有無判定システムに関する。
【背景技術】
【０００２】
従来、予約者が参加する会議の予定日、予約者が希望する会議室、および会議に参加する予定の参加予定者のＩＤを含む予約情報を受け付ける予約受付手段と、会議に参加する予定の参加予定者が会議に出席するか否かを検証する予約検証手段と、予約者が会議室を予約した時から実際に会議室が使用されるまでの時間経過に伴って変化する状況に基づいて求められる重要度によって予約を振り替える振替予約手段とを備えた会議室予約システムが知られている（例えば、特許文献１）。
【先行技術文献】
【特許文献】
【０００３】
【特許文献１】特開２０１７−１６７６３６号公報（特に段落００３７〜００４９参照）
【発明の概要】
【発明が解決しようとする課題】
【０００４】
しかしながら、上述した従来の会議室予約システムは、予約された時間になっても会議室の実際の使用が確認されない構成であったため、使用されない場合は、他の使用希望者が使用できず、無駄が多いという問題があった。
【０００５】
そこで、本発明は、前述したような従来技術の問題を解決するものであって、すなわち、本発明の目的は、室内における人の有無を確実に把握することができる人有無判定システムを提供することである。
【課題を解決するための手段】
【０００６】
本請求項１に係る発明は、室内に設置されて室内の状況の変化を検出するセンサーと、前記センサーによるセンシング状況の変化により人の有無を判定する判定手段とを有していることにより、前述した課題を解決するものである。
【０００７】
本請求項２に係る発明は、請求項１に記載された人有無判定システムの構成に加えて、前記室内は、会議室内であり、前記センサーが、焦電センサー、照度センサー、ジャイロセンサー、加速度センサー、圧力センサーのいずれかであり、会議室のスケジュール管理手段と、時刻判定手段とをさらに有し、前記会議室の使用開始予定時刻から第１所定時間経過するまでの間にセンサーによるセンシング状況の変化、または、会議室に設置されたボタンセンサーによるセンシング状況の変化が無い場合、前記スケジュール管理手段が、前記使用開始予定時刻を過ぎた会議室の予約を取り消す構成であることにより、前述した課題をさらに解決するものである。
【０００８】
本請求項３に係る発明は、請求項２に記載された人有無判定システムの構成に加えて、音声を発するスピーカをさらに有し、前記会議室の使用開始予定時刻から第１所定時間経過するまでの間にセンサーによるセンシング状況の変化、または、会議室に設置されたボタンセンサーによるセンシング状況の変化が無い場合、前記スピーカが、前記使用開始予定時刻を過ぎた会議室の予約を取り消す旨を音声で発し、前記センサーによるセンシング状況の変化、または、会議室に設置されたボタンセンサーによるセンシング状況の変化が無いとき、前記スケジュール管理手段が、前記使用開始予定時刻を過ぎた会議室の予約を取り消す構成であることにより、前述した課題をさらに解決するものである。
【０００９】
本請求項４に係る発明は、請求項１乃至請求項３のいずれか１つに記載された人有無判定システムの構成に加えて、前記室内は、会議室内であり、前記センサーが、焦電センサー、照度センサー、ジャイロセンサー、加速度センサー、圧力センサーのいずれかであり、会議室のスケジュール管理手段と、時刻判定手段とをさらに有し、前記会議室の使用開始予定時刻経過後にセンシング状況の変化により会議室を使用中と判定してから使用終了予定時刻までの間にセンサーによるセンシング状況の変化、または、会議室に設置されたボタンセンサーによるセンシング状況の変化がある場合、前記スケジュール管理手段が、現在時刻から使用終了予定時刻までの会議室の予約を空きにして会議室の使用について予約自在にする構成であることにより、前述した課題をさらに解決するものである。
【００１０】
本請求項５に係る発明は、請求項１乃至請求項４のいずれか１つに記載された人有無判定システムの構成に加えて、前記室内は、会議室内であり、会議室のスケジュール管理手段と、時刻判定手段と、音声を発するスピーカとをさらに有し、前記時刻判定手段が、前記会議室の使用終了予定時刻の第２所定時間前になったと判定したとき、前記会議室内に設けられたスピーカが、前記会議室の使用終了予定時刻の第２所定時間前である旨を音声で発する構成であることにより、前述した課題をさらに解決するものである。
【００１１】
本請求項６に係る発明は、請求項１乃至請求項５のいずれか１つに記載された人有無判定システムの構成に加えて、前記会議室の使用状況を表示する表示手段を有し、前記表示手段が、前記判定手段による判定に基づいて使用中または空きの旨を表示する構成であることにより、前述した課題をさらに解決するものである。
【００１２】
本請求項７に係る発明は、請求項１に記載された人有無判定システムの構成に加えて、前記室内は、トイレの個室内であり、前記センサーが、焦電センサー、照度センサー、圧力センサーのいずれかであり、前記トイレの個室の使用状況を表示する表示手段を有し、前記表示手段が、前記判定手段による判定に基づいて使用中または空きの旨を表示する構成であることにより、前述した課題をさらに解決するものである。
【００１３】
本請求項８に係る発明は、請求項１に記載された人有無判定システムの構成に加えて、前記室内は、会社のオフィス内であり、前記センサーが、焦電センサー、照度センサー、ジャイロセンサー、加速度センサー、圧力センサーのいずれかであり、オフィス内に設置され、前記オフィス内の在席状況を表示する表示手段を有し、前記表示手段が、前記判定手段による判定に基づいて在席中または席外し中の旨を表示する構成であることにより、前述した課題をさらに解決するものである。
【発明の効果】
【００１４】
本請求項１に係る発明の人有無判定システムによれば、室内に人がいる場合にセンシング状況が変化するため、その室内における人の有無を確実に把握することができる。
【００１５】
本請求項２に係る発明の人有無判定システムによれば、請求項１に係る発明が奏する効果に加えて、予約された会議室が使用開始予定時刻から第１所定時間経過しても使用されていないと判定された場合はその予約が自動でキャンセルされるため、他の使用希望者が会議室を無駄なく使用することができる。
【００１６】
本請求項３に係る発明の人有無判定システムによれば、請求項２に係る発明が奏する効果に加え、予約された会議室が使用開始予定時刻から第１所定時間経過しても使用されていないと判定された場合は、念のために音声で予約を取り消す旨の予告が案内されるため、予約された会議室に人がいるにも拘わらず自動で予約が取り消されてしまうことを回避することができる。
【００１７】
本請求項４に係る発明の人有無判定システムによれば、請求項１乃至請求項３のいずれか１つに係る発明が奏する効果に加えて、会議室の使用終了予定時刻前に会議室の使用が終了したと判定して予約の残り時間が解放されて予約自在となるため、他の使用希望者が会議室を無駄なく使用することができる。
【００１８】
本請求項５に係る発明の人有無判定システムによれば、請求項１乃至請求項４のいずれか１つに係る発明が奏する効果に加えて、会議室の使用終了予定時刻の第２所定時間前になったときに会議室の使用者全員が音声でその旨のお知らせを受けるため、会議室の使用者全員が使用終了予定時刻を認識して話をまとめて使用終了予定時刻までに会議を終了させることができる。つまり、使用終了予定時刻を過ぎて会議を続けてしまい会議室の次の使用者に迷惑をかけてしまうことを回避することができる。
【００１９】
本請求項６に係る発明の人有無判定システムによれば、請求項１乃至請求項５のいずれか１つに係る発明が奏する効果に加えて、リアルタイムで会議室の使用状況が表示されるため、使用希望者が会議室を無駄なく使用することができる。
【００２０】
本請求項７に係る発明の人有無判定システムによれば、請求項１に係る発明が奏する効果に加えて、リアルタイムでトイレの個室の使用状況が表示されるため、使用希望者がどこのトイレの個室が空いているかを判断することができ、トイレの個室を待つことなく使用することができる。
【００２１】
本請求項８に係る発明の人有無判定システムによれば、請求項１に係る発明が奏する効果に加えて、リアルタイムで従業員の在席状況が表示されるため、担当者がその場所にいるかをユーザーは判断することができ、在席しているタイミングを見計らって用件を伝えたりすることができる。
【図面の簡単な説明】
【００２２】
【図１】本発明の第１実施例である人有無判定システムを会議室に用いた例を示す概念図。
【図２】本発明の第１実施例である人有無判定システムを会議室に用いた例のチャート図。
【図３】（Ａ）（Ｂ）は人有無判定システムの表示手段であるスマートフォン端末およびサイネージ端末を示す図。
【図４】本発明の第２実施例である人有無判定システムをトイレの個室に用いた例を示す概念図。
【図５】本発明の第３実施例である人有無判定システムを会社のオフィスに用いた例を示す概念図。
【発明を実施するための形態】
【００２３】
本発明は、室内に設置されて室内の状況の変化を検出するセンサーと、センサーによるセンシング状況の変化により人の有無を判定する判定手段とを有していることにより、その室内における人の有無を確実に把握することができるものであれば、その具体的な実施態様は、如何なるものであっても構わない。
【００２４】
例えば、室内は、会議室、トイレの個室、会社のオフィスなど、人が出入りする部屋であれば如何なるものであっても構わない。
また、センサーは、焦電センサー、照度センサー、ジャイロセンサー、加速度センサー、圧力（気圧）センサー、画像センサー、音声センサー、光センサー、温湿度センサーなど、人の有無の変化を捉える（観測する、センシングする）ものであれば、如何なるものであっても構わない。
さらに、判定手段、会議室のスケジュール管理手段、時刻判定手段、表示手段は、スマートフォン端末、パーソナルコンピュータ端末、タブレット端末などを用いて構成することができ、それぞれ別々に構成してもよいし、１つの端末で構成してもよい。
【実施例１】
【００２５】
以下に、本発明の第１実施例である人有無判定システム１００について、図１乃至図３（Ｂ）に基づいて説明する。
ここで、図１は、本発明の第１実施例である人有無判定システム１００を会議室Ｒに用いた例を示す概念図であり、図２は、本発明の第１実施例である人有無判定システム１００を会議室Ｒに用いた例のチャート図であり、図３（Ａ）は、人有無判定システム１００の表示手段であるスマートフォン端末１３０を示す図であり、図３（Ｂ）は、人有無判定システム１００の表示手段であるサイネージ端末１３１を示す図である。
【００２６】
本発明の第１実施例である人有無判定システム１００は、室内に設置されて室内の状況の変化を検出するセンサーと、センサーによるセンシング状況の変化により人Ｐの有無を判定する判定手段（制御部）とを有している。
これにより、室内に人Ｐがいる場合にセンシング状況が変化する。
その結果、その室内における人Ｐの有無を確実に把握することができる。
【００２７】
以下、図１に示すように、人有無判定システム１００を会議室Ｒに用いた例について説明する。
会議室Ｒの机Ｒ２の上には、センサーの一例としての焦電センサー１１０およびボタンセンサー１１１と、スピーカ１２０とが配設されている。
焦電センサー１１０（人感センサーともいう）は、人体から発せられる僅かな赤外線による赤外線量の変化を検知するように設けられている。
また、会議室Ｒの出入り口であるドアＲ１の外側（廊下側）には、判定手段、会議室Ｒのスケジュール管理手段、時刻判定手段、表示手段としてのスマートフォン端末１３０が配設されている。
【００２８】
そして、焦電センサー１１０、ボタンセンサー１１１およびスピーカ１２０は、それぞれ無線通信部を有して、スマートフォン端末１３０と無線通信自在に設けられている。
さらに、焦電センサー１１０、ボタンセンサー１１１およびスピーカ１２０は、スマートフォン端末１３０からどの会議室Ｒに設置されたものか識別されているものとする。
なお、本実施例では、スマートフォン端末１３０が、人有無判定システム１００の制御部として機能するが、別途、制御部として機能するサーバを用いてもよいのは勿論である。
また、特に人Ｐが椅子Ｒ３に座っているときにセンシングする位置に焦電センサー１１０を配置することが望ましい。
【００２９】
続いて、センサーを用いた具体的な動作について説明する。
図２に示すように、ステップＳ１では、人有無判定システム１００の制御部が、会議室Ｒのスケジュール管理手段による会議室Ｒの予約情報、時刻判定手段による現在の時刻情報に基づいて、その会議室Ｒについて、開始予定時刻になったか否かを判定する。
開始予定時刻になったと判定した場合はステップＳ２に進み、他方、開始予定時刻に未だなっていないと判定した場合はステップＳ１を繰り返す。
【００３０】
ステップＳ２では、人有無判定システム１００の制御部（判定手段）が、焦電センサー１１０によるセンシング状態を監視し、赤外線量の変化の有無を判定する。
人Ｐが焦電センサー１１０の前にやってくると赤外線量が僅かに増えるので、制御部は、センシングに変化ありと判定し、ステップＳ３へ進む。
他方、赤外線量に変化がなくセンシングに変化なしの場合は、ステップＳ６へ進む。
つまり、会議室Ｒに人Ｐが入ってきて、実際に使用開始したと判定した場合はステップＳ３に進み、開始予定時刻になっても会議室Ｒに人Ｐが入ってきた気配がなく、使用していないと判定した場合はステップＳ６に進む。
なお、一例として焦電センサー１１０を用いたが、ボタンセンサー１１１の短く１回押しを使用開始の合図としてもよい。つまり、ユーザーがその他のセンサーのセンシング状況を変化させて使用開始の合図としてもよい。
【００３１】
ステップＳ３では、人有無判定システム１００の制御部（会議室Ｒのスケジュール管理手段）が、アプリケーションソフト上のおけるその会議室Ｒについてのステータスを、「予約あり」から「使用中」に変更し、ステップＳ４へ進む。
ステップＳ４では、使用終了の合図として例えば、ボタンセンサー１１１がユーザーによって長押しされたか否かを、人有無判定システム１００の制御部（会議室Ｒのスケジュール管理手段）が、判定する。
ボタンセンサー１１１が長押しされたと判定した場合はステップＳ５に進み、他方、ボタンセンサー１１１が未だ長押しされていないと判定した場合はステップＳ７へ進む。
なお、一例としてボタンセンサー１１１を使用終了の合図としたが、ジャイロセンサーの表裏をひっくり返すことで使用終了の合図としてもよい。つまり、ユーザーがその他のセンサーのセンシング状況を変化させて使用終了の合図としてもよい。
【００３２】
ステップＳ５では、人有無判定システム１００の制御部（会議室Ｒのスケジュール管理手段）が、アプリケーションソフト上のおけるその会議室Ｒについてのステータスを、「使用中」から「空き」に変更する。
これにより、ステップＳ４を経てステータスが「空き」に変更された場合、会議室Ｒの使用終了予定時刻前に会議室Ｒの使用が終了したと判定して予約の残り時間が解放されて予約自在となる。
その結果、他の使用希望者が会議室Ｒを無駄なく使用することができる。
【００３３】
ステップＳ６では、人有無判定システム１００の制御部が、会議室Ｒのスケジュール管理手段による会議室Ｒの予約情報、時刻判定手段による現在の時刻情報に基づいて、その会議室Ｒについて、開始予定時刻から第１所定時間として例えば、１０分経過したか否かを判定する。
開始予定時刻から１０分経過したと判定した場合はステップＳ５に進み、他方、開始予定時刻から未だ１０分経過していないと判定した場合はステップＳ２に戻る。
これにより、予約された会議室Ｒが使用開始予定時刻から第１所定時間の一例である１０分経過しても使用されていないと判定された場合はその予約が自動でキャンセルされる。
その結果、他の使用希望者が会議室Ｒを無駄なく使用することができる。
【００３４】
なお、ステップＳ６からステップＳ５に進む前に、スピーカ１２０が、使用開始予定時刻を過ぎた会議室Ｒの予約を取り消す旨を音声で発し、使用中の合図として例えば、ボタンセンサー１１１がユーザーによって２度押しされたか否かを、人有無判定システム１００の制御部（会議室Ｒのスケジュール管理手段）が、判定するように構成してもよい。
ボタンセンサー１１１が２度押しされたと判定した場合はステップＳ３に進み、他方、ボタンセンサー１１１が未だ２度押しされていないと判定した場合はステップＳ５へ進む。
なお、一例としてボタンセンサー１１１を使用中の合図としたが、ジャイロセンサーの表裏をひっくり返すことで使用中の合図としてもよい。つまり、ユーザーがその他のセンサーのセンシング状況を変化させて使用中の合図としてもよい。
これにより、予約された会議室Ｒが使用開始予定時刻から第１所定時間の一例である１０分経過しても使用されていないと判定された場合は、念のために音声で予約を取り消す旨の予告が案内される。
その結果、予約された会議室Ｒに人Ｐがいるにも拘わらず自動で予約が取り消されてしまうことを回避することができる。
【００３５】
ステップＳ７では、人有無判定システム１００の制御部が、会議室Ｒのスケジュール管理手段による会議室Ｒの予約情報、時刻判定手段による現在の時刻情報に基づいて、その会議室Ｒについて、終了予定時刻の第２所定時間として例えば、１０分前になった否かを判定する。
終了予定時刻の１０分前になったと判定した場合はステップＳ８に進み、他方、終了予定時刻の１０分前に未だなっていないと判定した場合はステップＳ７を繰り返す。
ステップＳ８では、人有無判定システム１００の制御部が、スピーカ１２０を用いて、「あと１０分で終了予定時刻になります！」の旨を音声でユーザーに対して通知し、ステップＳ４に戻る。
【００３６】
これにより、会議室Ｒの使用終了予定時刻の第２所定時間の一例である１０分前になったときに会議室Ｒの使用者全員が音声でその旨のお知らせを受ける。
その結果、会議室Ｒの使用者全員が使用終了予定時刻を認識して話をまとめて使用終了予定時刻までに会議を終了させることができる。
つまり、使用終了予定時刻を過ぎて会議を続けてしまい会議室Ｒの次の使用者に迷惑をかけてしまうことを回避することができる。
【００３７】
続いて、会議室Ｒの使用状況を表示する表示手段について説明する。
図１および図３（Ａ）に示すように、会議室ＲのドアＲ１に配設された表示手段の一例であるスマートフォン端末１３０の表示部には、一例として、その会議室Ｒの名前「会議室０１Ａ」、現在のステータス「使用中」、現在の使用時間「１１分２３秒」、予約時間（使用予定時間）「１０：００〜１２：００」、予約した担当者「田中」、参加者（使用予定人数）「５名」、次の予定（予約）の時間「１３：００〜１５：００」、予約した担当者「鈴木」の旨が表示されるように構成されている。
これにより、リアルタイムで会議室Ｒの使用状況が表示される。
その結果、使用希望者が会議室Ｒを無駄なく使用することができる。
さらに、実際の会議室Ｒの前で、その会議室Ｒが使用されているか否かのステータスを、使用希望者が、ドアＲ１を開けずに知ることができる。
【００３８】
また、図３（Ｂ）に示すように、会議室Ｒのフロア入り口や、オフィスフロアに表示手段の一例であるサイネージ端末１３１を設置してもよい。
サイネージ端末１３１には、現在の時刻、ステータス「使用中」、「３０分以内に使用予定」、「３０分以上空きあり」の色別案内表示説明、会議室Ｒのフロアの配置図、会議室０１Ａ〜０１Ｇ、予約時間、予約者、次の予約についての情報が表示されるように構成されている。
これにより、会議室Ｒの使用状況および使用予定の情報が一覧で表示される。
その結果、使用希望者は、どの会議室Ｒが、いつ空くかを把握して、会議室Ｒを無駄なく使用することができる。
【００３９】
なお、表示手段の一例であるスマートフォン端末１３０を会議室ＲのドアＲ１に配設し、サイネージ端末１３１を会議室Ｒのフロア入り口や、オフィスフロアに設置して、使用希望者がそれらを見ることをについて説明したが、使用希望者が、自身専用のパーソナルコンピュータ端末やスマートフォン端末１３０を用いて、人有無判定システム１００にログインしてアプリケーションソフト上の各会議室Ｒのステータスを表示させてもよいのは勿論である。
また、本実施例では、センサーの一例として焦電センサー１１０によって人Ｐの有無を判定したが、他のセンサー（照度センサー、圧力センサーなど）を用いて人Ｐの有無を判定してもよいのは勿論である。
【００４０】
さらに、使用希望者の数に対して会議室Ｒの数が少なくて会議室Ｒの予約が取りにくく、使用希望者が先回りして多めに予約することに対して、予約手続をしようとする日から所定期間として例えば、３ヶ月先までしか予約できないように予約可能期間に制限を設定するように構成してもよい。
また、焦電センサー１１０などセンサーのセンシング状況の変化をログとして、スプレッドシートなどの表計算ファイルに記録するように構成してもよい。この場合、ファイルデータをサーバやクラウド上に保存することが望ましい。
さらに、焦電センサー１１０などセンサーのセンシング状況が変化して人Ｐがいると判定した場合、その旨を、電子メール、チャットメッセージ、動画通信により予め設定した所定のコンピュータ端末へ連絡したり、社内システムに通知するように構成してもよい。
【００４１】
このようにして得られた本発明の第１実施例である人有無判定システム１００は、室内に設置されて室内の状況の変化を検出するセンサーの一例としての焦電センサー１１０と、焦電センサー１１０によるセンシング状況の変化により人Ｐの有無を判定する判定手段の一例としてのスマートフォン端末１３０とを有していることにより、その室内における人Ｐの有無を確実に把握することができる。
【００４２】
さらに、室内は、会議室Ｒ内であり、センサーが、焦電センサー１１０、照度センサー、ジャイロセンサー、加速度センサー、圧力センサーのいずれかであり、会議室Ｒのスケジュール管理手段であるアプリケーションソフトと、時刻判定手段としての時計機能を有するスマートフォン端末１３０とをさらに有し、会議室Ｒの使用開始予定時刻から第１所定時間の一例として１０分経過するまでの間にセンサーの一例としての焦電センサー１１０によるセンシング状況の変化、または、会議室Ｒに設置されたボタンセンサー１１１によるセンシング状況の変化が無い場合、スケジュール管理手段であるアプリケーションソフトが、使用開始予定時刻を過ぎた会議室Ｒの予約を取り消す構成であることにより、他の使用希望者が会議室Ｒを無駄なく使用することができる。
【００４３】
さらに、音声を発するスピーカ１２０をさらに有し、会議室Ｒの使用開始予定時刻から第１所定時間経過するまでの間にセンサーの一例としての焦電センサー１１０によるセンシング状況の変化、または、会議室Ｒに設置されたボタンセンサー１１１によるセンシング状況の変化が無い場合、スピーカ１２０が、使用開始予定時刻を過ぎた会議室Ｒの予約を取り消す旨を音声で発し、焦電センサー１１０によるセンシング状況の変化、または、会議室Ｒに設置されたボタンセンサー１１１によるセンシング状況の変化が無いとき、スケジュール管理手段であるアプリケーションソフトが、使用開始予定時刻を過ぎた会議室Ｒの予約を取り消す構成であることにより、予約された会議室Ｒに人Ｐがいるにも拘わらず自動で予約が取り消されてしまうことを回避することができる。
【００４４】
また、会議室Ｒの使用開始予定時刻経過後にセンシング状況の変化により会議室Ｒを使用中と判定してから使用終了予定時刻までの間にセンサーの一例としての焦電センサー１１０によるセンシング状況の変化、または、会議室Ｒに設置されたボタンセンサー１１１によるセンシング状況の変化がある場合、スケジュール管理手段であるアプリケーションソフトが、現在時刻から使用終了予定時刻までの会議室Ｒの予約を空きにして会議室Ｒの使用について予約自在にする構成であることにより、他の使用希望者が会議室Ｒを無駄なく使用することができる。
【００４５】
また、音声を発するスピーカ１２０をさらに有し、時刻判定手段としての時計機能を有するスマートフォン端末１３０が、会議室Ｒの使用終了予定時刻の第２所定時間の一例として１０分前になったと判定したとき、会議室Ｒ内に設けられたスピーカ１２０が、会議室Ｒの使用終了予定時刻の第２所定時間の一例として１０分前である旨を音声で発する構成であることにより、会議室Ｒの使用者全員が使用終了予定時刻を認識して話をまとめて使用終了予定時刻までに会議を終了させ、使用終了予定時刻を過ぎて会議を続けてしまい会議室Ｒの次の使用者に迷惑をかけてしまうことを回避することができる。
【００４６】
さらに、会議室Ｒの使用状況を表示する表示手段の一例としてスマートフォン端末１３０やサイネージ端末１３１を有し、スマートフォン端末１３０やサイネージ端末１３１が、判定手段による判定に基づいて使用中または空きの旨を表示する構成であることにより、使用希望者がリアルタイムで確認して会議室Ｒを無駄なく使用することができるなど、その効果は甚大である。
【実施例２】
【００４７】
続いて、本発明の第２実施例である人有無判定システム１００について、図４に基づいて説明する。
ここで、図４は、本発明の第２実施例である人有無判定システム１００をトイレＴの個室Ｔ１に用いた例を示す概念図である。
第２実施例の人有無判定システム１００は、第１実施例の人有無判定システム１００の人有無を検知する場所を会議室ＲからトイレＴの個室Ｔ１に変更したものであり、多くの要素について第１実施例の人有無判定システム１００と共通するので、共通する事項については詳しい説明を省略する。
【００４８】
図４に示すように、トイレＴの各個室Ｔ１には、センサーの一例として焦電センサー１１０が配設されている。
焦電センサー１１０は、その個室Ｔ１に人Ｐが入っているか否かをセンシングするように設けられている。
より具体的には、人Ｐが焦電センサー１１０の前にやってくると赤外線量が僅かに増えるので、その赤外線の変化量を検知する。
特に人ＰがトイレＴの便座Ｔ２に座っているときにセンシングする位置に焦電センサー１１０を配置することが望ましい。
各焦電センサー１１０は、トイレＴの個室Ｔ１の使用状況を表示する表示手段の一例であるスマートフォン端末１３０と無線通信自在に設けられている。
【００４９】
スマートフォン端末１３０は、焦電センサー１１０のセンシング状況の変化でトイレＴの個室Ｔ１に人Ｐがいるか否かを判定する判定手段としての機能を有している。
スマートフォン端末１３０は、ユーザー各自のものでもよいし、共用のものでもよい。
さらに、各焦電センサー１１０は、どの個室Ｔ１に設置されているものかスマートフォン端末１３０から識別されているものとする。
そして、スマートフォン端末１３０は、判定手段による判定に基づいて使用中または空きの旨を表示するように構成されている。
これにより、リアルタイムでトイレＴの個室Ｔ１の使用状況が表示される。
その結果、使用希望者がどこのトイレＴの個室Ｔ１が空いているかを判断することができ、トイレＴの個室Ｔ１を待つことなく使用することができる。
なお、センサーの一例として焦電センサー１１０を用いて人Ｐの有無を検知したが、他のセンサーを用いて人Ｐの有無を検知してもよいのは勿論である。
【００５０】
このようにして得られた本発明の第２実施例である人有無判定システム１００は、トイレＴの個室Ｔ１内に設置されてトイレＴの個室Ｔ１内の状況の変化を検出する焦電センサー１１０、照度センサー、圧力センサーのいずれかのセンサーと、センサーの一例としての焦電センサー１１０によるセンシング状況の変化により人Ｐの有無を判定する判定手段の一例としてのスマートフォン端末１３０と、トイレＴの個室Ｔ１の使用状況を表示する表示手段の一例としてのスマートフォン端末１３０を有し、スマートフォン端末１３０が、判定手段による判定に基づいて使用中または空きの旨を表示する構成であることにより、使用希望者がどこのトイレＴの個室Ｔ１が空いているかを判断することができ、トイレＴの個室Ｔ１を待つことなく使用することができるなど、その効果は甚大である。
【実施例３】
【００５１】
続いて、本発明の第３実施例である人有無判定システム１００について、図５に基づいて説明する。
ここで、図５は、本発明の第３実施例である人有無判定システム１００を会社のオフィスＢに用いた例を示す概念図である。
第３実施例の人有無判定システム１００は、第１実施例や第２実施例の人有無判定システム１００の人有無を検知する場所をオフィスＢの座席に変更したものであり、多くの要素について第１実施例および第２実施例の人有無判定システム１００と共通するので、共通する事項については詳しい説明を省略する。
【００５２】
図５に示すように、例えば、会社のオフィスＢの各座席には、センサーの一例として焦電センサー１１０が配設されている。
焦電センサー１１０は、その座席に人Ｐが座っているか否かをセンシングするように設けられている。
より具体的には、焦電センサー１１０が椅子Ｂ１の背もたれに配設され、人Ｐが椅子Ｂ１に座って焦電センサー１１０の前に位置すると赤外線量が僅かに増えるので、その赤外線の変化量を検知する。
各焦電センサー１１０は、オフィスＢ内の在席状況を表示する表示手段の一例であるスマートフォン端末１３０と無線通信自在に設けられている。
なお、センサーの一例として焦電センサー１１０は、座席に人Ｐが座っているか否かをセンシングできれば、その設置場所は、椅子Ｂ１に限らず、椅子Ｂ１の正面のデスクや、椅子Ｂ１の上の天井など、オフィスＢ内の如何なる場所でもよい。
【００５３】
スマートフォン端末１３０は、焦電センサー１１０のセンシング状況の変化でオフィスＢ内の在席に人Ｐがいるか否かを判定する判定手段としての機能を有している。
スマートフォン端末１３０は、ユーザー各自のものでもよいし、共用のものでもよい。
さらに、各焦電センサー１１０は、どの座席に設置されているものかスマートフォン端末１３０から識別されているものとする。
そして、スマートフォン端末１３０は、判定手段による判定に基づいて在席中または席外し中の旨を表示するように構成されている。
これにより、リアルタイムで従業員の在席状況が表示される。
その結果、担当者がその場所にいるかをユーザーは判断することができ、在席しているタイミングを見計らって用件を伝えたりすることができる。
【００５４】
このようにして得られた本発明の第３実施例である人有無判定システム１００は、会社のオフィスＢ内に設置されてオフィスＢ内の在席状況の変化を検出する焦電センサー１１０、照度センサー、圧力センサーのいずれかのセンサーと、センサーの一例である焦電センサー１１０によるセンシング状況の変化により人Ｐの有無を判定する判定手段の一例としてのスマートフォン端末１３０と、オフィスＢ内の在席状況を表示する表示手段の一例としてのスマートフォン端末１３０を有し、スマートフォン端末１３０が、判定手段による判定に基づいて在席中または席外し中の旨を表示する構成であることにより、担当者がその場所にいるかをユーザーは判断することができ、在席しているタイミングを見計らって用件を伝えたりすることができるなど、その効果は甚大である。
【符号の説明】
【００５５】
１００  ・・・  人有無判定システム
１１０  ・・・  焦電センサー（センサー）
１１１  ・・・  ボタンセンサー（センサー）
１２０  ・・・  スピーカ（通知手段）
１３０  ・・・  スマートフォン端末（判定手段、会議室のスケジュール管理手段、時刻判定手段、表示手段）
１３１  ・・・  サイネージ端末（判定手段、会議室のスケジュール管理手段、時刻判定手段、表示手段）
Ｒ      ・・・  会議室
Ｒ１    ・・・  ドア
Ｒ２    ・・・  机
Ｒ３    ・・・  椅子
Ｐ      ・・・  人
Ｔ      ・・・  トイレ
Ｔ１    ・・・  トイレの個室
Ｔ２    ・・・  便座
Ｂ      ・・・  会社のオフィス
Ｂ１    ・・・  椅子（座席）
【図１】
2019074977.tif 000003
【図２】
2019074977.tif 000004
【図３】
2019074977.tif 000005
【図４】
2019074977.tif 000006
【図５】
2019074977.tif 000007